(57)【要約】      （修正有）【課題】光ディスクドライブの薄型化、小型化を図る。【解決手段】光ディスクドライブ１００は、ハウジング１１０および光ピックアップモジュールを有する。ハウジング１１０は、主ケース１１２および可動ケース１１４を有し、光ピックアップモジュールは主ケース１１２内に配置されている。光ピックアップモジュールは、コンパクトディスクを固定するためのダンパと、ダンパの近くに配置され、データを読み込むための光ピックアップとにより構成されている。主ケース１１２は、データを読み込む必要のないときには、可動ケース１１４内に収容され、データを読み込むときには、主ケース１１２は、可動ケース１１４から分離され、コンパクトディスクは、主ケース１１２と可動ケース１１４の両方によって覆われる。【選択図】図１
2006209948.tif 000002
【特許請求の範囲】
【請求項１】
コンパクトディスクのデータを読み込むための光ディスクドライブであって、
コンパクトディスクを固定するために使用されるダンパと、そのダンパの近くに配置され、コンパクトディスクのデータを読み込むために使用される光ピックアップとを有する光ピックアップモジュールと、
前記光ピックアップモジュールに接続されコンパクトディスクの一部を保持するのに適した主ケースと、その主ケースに統合され可動ケースと主ケースとの両方によってコンパクトディスクを相互に収容させるためにその主ケースに対して相対運動をするのに適した前記可動ケースとを有する、前記光ピックアップモジュールに接続されたハウジングと、
を具えてなる光ディスクドライブ。
【請求項２】
前記光ピックアップモジュールは、更に、コンパクトディスクを保持するためのトレイを有する、請求項１記載の光ディスクドライブ。
【請求項３】
前記可動ケースは、組み立て式構体を有する、請求項１記載の光ディスクドライブ。
【請求項４】
前記可動ケースは、折り畳み式機構を有する、請求項１記載の光ディスクドライブ。
【請求項５】
前記折り畳み式機構は、複数の折り畳み板を有する、請求項４記載の光ディスクドライブ。
【請求項６】
前記折り畳み板は、複数の保持板および複数のカバー板を有し、それら保持板およびカバー板は、それらの板間の相対運動によって、コンパクトディスクを前記主ケースおよび前記保持板に収容するのに十分大きい保持プラットフォームを形成するのに適しており、前記カバー板は、その保持プラットフォームを覆うのに適している、請求項５記載の光ディスクドライブ。
【請求項７】
前記主ケースは、第１の開口空間を有するとともに、前記可動ケースと前記主ケースとが互いに対し相対運動をした後に形成される第２の開口空間を有し、それら第１の開口空間および第２の開口空間は相互に、コンパクトディスクを収容するのに適している、請求項１記載の光ディスクドライブ。
【請求項８】
前記可動ケースは、前記主ケースの表面に回転可能に接続された可動要素を有する、請求項７記載の光ディスクドライブ。
【請求項９】
前記可動ケースは、前記主ケース内に配置された滑動物を有する、請求項７記載の光ディスクドライブ。
【請求項１０】
前記可動ケースは、可動要素と滑動物との組み合わせを有する、請求項７記載の光ディスクドライブ。
【請求項１１】
前記可動ケースは、環状の摺動カバーを有する、請求項７記載の光ディスクドライブ。
【請求項１２】
前記環状の摺動カバーは、相互接続された複数の扇形の摺動カバーを有する、請求項１１記載の光ディスクドライブ。
【請求項１３】
前記可動ケースは、前記主ケース内に配置された複数の帯状ケースを有し、それらの帯状ケースの両端は同時に前記主ケースから滑り出るのに適している、請求項７記載の光ディスクドライブ。
【請求項１４】
前記可動ケースは、前記主ケース内に配置された複数の帯状ケースを有し、それらの帯状ケースの両端は同時に前記主ケースから回転して出るのに適している、請求項７記載の光ディスクドライブ。
【発明の詳細な説明】
【技術分野】
【０００１】
本発明はデータ読み取り機器に関し、特に光ディスクドライブに関するものである。
【背景技術】
【０００２】
コンパクトディスクは、従来の磁気記憶媒体に徐々に取って代わり、現代生活に不可欠な情報記憶媒体のうちの１つになった。コンパクトディスクは、記憶容量がより大きく、保管も容易であり、より長い記憶寿命を有し、コストもより低くて、容易にデータの損害を受けにくいなどの利点がある。コンパクトディスクは上記の全ての利点があるにもかかわらず、パーソナルコンピュータ（パソコン）が小型化の傾向をたどり、より薄くより軽くなってくるにつれて、光ディスクドライブはその巨大なハウジングのゆえに、パソコンおよびノートパソコンの薄型化、小型化を妨げる理由の一つとなった。
【０００３】
一般に、デスクトップコンピュータに使用される光ディスクドライブは主に光ピックアップモジュールとハウジングとから成り、その光ピックアップモジュールは係合要素、光ピックアップおよびトレイを有する。係合要素と光ピックアップはハウジング内に配置されている。その一方で、トレイはハウジングに接続された滑動物である。コンパクトディスクがトレイに入れられたあと、トレイはハウジングに対する相対運動によってハウジングにコンパクトディスクを運ぶ。次に、コンパクトディスクは係合要素によって固定され、回転させられる。そして、コンパクトディスクに書き込まれたデータは光ピックアップによって読み込まれる。しかしながら、デスクトップコンピュータで使用される光ディスクドライブは、その過剰な大きさにより、ノートパソコンの、薄さ、重量並びに大きさに対する要求を満たすことができない。
【０００４】
それゆえ、従来の光ディスクドライブは、ノートパソコンでの使用に適切な大きさを有する他の構造設計を提唱している。この種の構造設計において、係合要素と、光ピックアップとトレイとは、光モジュール内で直接組み合わされている。更に、相対的な滑動が、光モジュールとハウジングとの間で行われる。それゆえ、コンパクトディスクが光モジュールに挿入されると、光モジュールはハウジングに対する相対的な滑動を経てハウジングにコンパクトディスクを運ぶことができ、コンパクトディスクのデータを読み込む。上記の方法は、ノートパソコンにおいて使用される光ディスクドライブをデスクトップコンピュータのものより小さくするために、光ディスクドライブの体積を減少させることはできるが、ノートパソコンにおいて使用される光ディスクドライブの体積は未だにノートパソコンの全体積の大きな部分を占めている。
【発明の開示】
【発明が解決しようとする課題】
【０００５】
したがって、本発明は、体積を可動ハウジング機構によって小型化する光ディスクドライブを提供することを目的とする。
【課題を解決するための手段】
【０００６】
本発明は、コンパクトディスクのデータの読み込みに適した光ディスクドライブを提供する。前記光ディスクドライブは、光ピックアップモジュールとハウジングとを有する。光ピックアップモジュールは、更に係合要素としてのダンパと、光ピックアップとを有する。ダンパはコンパクトディスクを固定するために用いられ、光ピックアップはそのダンパの近くに配置されて、コンパクトディスクのデータを読み込むために用いられる。ハウジングは、主ケースおよび可動ケースを含んでおり、光ピックアップモジュールに接続されている。主ケースは光ピックアップモジュールに接続され、コンパクトディスクの一部を保持するのに適している。可動ケースは、主ケースに組み合わされており、その可動ケースと主ケースとの両方によってコンパクトディスクを収容するために主ケースに対する相対運動をもたらすのに適している。
【発明の効果】
【０００７】
本発明の実施形態記載の光ディスクドライブによれば、上記光ピックアップモジュールは、例えばコンパクトディスクを保持するためのトレイを有する。
【０００８】
本発明の実施形態記載の光ディスクドライブによれば、上記可動ケースは、例えば組み立て式構体である。
【０００９】
本発明の実施形態記載の光ディスクドライブによれば、上記可動ケースは、例えば折り畳み式機構を有し、その折り畳み式機構は例えば複数の折り畳み板であっても良い。
【００１０】
本発明の実施形態記載の光ディスクドライブによれば、上記折り畳み板は、例えば複数の保持板および複数のカバー板を有する。それら保持板およびカバー板は、主ケースと保持板との間に、板間の相対運動によって、コンパクトディスクを保持するのに十分大きい保持平面を形成するのに適しており、カバー板はその保持平面を覆うのに適している。
【００１１】
本発明の実施形態記載の光ディスクドライブによれば、上記主ケースは、例えば、第１の開口空間を有し、可動ケースおよび主ケースは、例えば、互いに対して相対運動をすることにより第２の開口空間を形成することができ、第１および第２の開口空間は一緒にコンパクトディスクを相互に収容するのに適している。
【００１２】
本発明の実施形態記載の光ディスクドライブによれば、上記可動ケースは、例えば、可動要素を有し、それは主ケースの表面に回転可能なように支持されている。
【００１３】
本発明の実施形態記載の光ディスクドライブによれば、上記可動ケースは、例えば、主ケース内に配置された滑動物を有する。
【００１４】
本発明の実施形態記載の光ディスクドライブによれば、上記可動ケースは、例えば、可動要素と滑動物とを組み合わせたものであっても良い。
【００１５】
本発明の実施形態記載の光ディスクドライブによれば、上記可動ケースは、例えば、環状の摺動カバーを有し、その摺動カバーは、例えば更に複数の相互接続された扇形の摺動カバーを有する。
【００１６】
本発明の実施形態記載の光ディスクドライブによれば、可動ケースは、例えば、主ケース内に配置された複数の帯状ケースを有し、それらの帯状ケースの両端は主ケースから同時に滑動または回転して出るのに適している。
【００１７】
本発明においては、ハウジングが主ケースおよび可動ケースを有するよう設計されているので、光ディスクドライブの体積が減少する。光ディスクドライブがコンパクトディスクに書き込まれたデータを読み込む必要がある時、可動ケースは主ケースから外側に引き出すことができ、コンパクトディスクは主ケースと可動ケースとの両方によって相互に収容される。
【００１８】
本発明の前記目的や他の目的、特徴および利点をより明らかにするために、図を伴った実施形態を以下に詳細に記載する。前述の概要と以下の詳細な説明とは例示であり、請求の範囲記載の本発明の更なる説明をもたらすことを意図したものであることを理解するべきである。
【発明を実施するための最良の形態】
【００１９】
以下、本発明の実施形態を実施例により、添付図面に基づき詳細に説明する。
【００２０】
これらの図面は本発明の実施例を示しており、発明の詳細な説明と共に本発明の原理を解説するためのものである。
【００２１】
本発明は光ディスクドライブを提供する。本発明の主な目的は、光ディスクドライブの体積を減少させるために、光ディスクドライブのハウジングを２つの部品、すなわち主ケースおよび可動ケースに分割することである。光ディスクドライブがコンパクトディスクに書き込まれたデータを読み込む必要がある時、可動ケースは主ケースから外側に拡張することができ、コンパクトディスクは主ケースおよび可動ケース両方の内側に収容される。そして、主ケースに配置された光ピックアップモジュールによりデータが読み込まれる。関連した実施の方法は、以下の実施例によって理解されるであろう。
【実施例１】
【００２２】
図１は、本発明の第１実施例の光ディスクドライブの斜視図である。図２は、本発明の第１実施例による、Ｉ〜Ｉ’方向に沿う主ケースの断面図である。図１と図２とを参照すると、光ディスクドライブ１００はハウジング１１０および光ピックアップモジュール１２０を有している。ハウジング１１０は主ケース１１２および可動ケース１１４を有している。そして、光ピックアップモジュール１２０はダンパ１２２および光ピックアップ１２４を有している。光ピックアップモジュール１２０は主ケース１１２内に配置されており、ここでダンパ１２２はコンパクトディスクと係合するために用いられ、光ピックアップ１２４はコンパクトディスクに書き込まれたデータを読み込むために用いられる。この主ケース１１２の外側設計は単独でコンパクトディスクを収容することを不可能にする。更に、光ピックアップモジュール１２０は、例えば、コンパクトディスクを保持するために、更にトレイ（図示せず）を有していても良い。
【００２３】
図３〜５は、本発明の第１実施例の光ディスクドライブのハウジングの変形を例示した複数の斜視図である。図１および図３〜５を共に参照すると、第１実施例において、光ディスクドライブ１００の可動ケース１１４は組み立て式構体形式のものである。可動ケース１１４は主ケース１１２の一部を収容するための空間を有している。光ディスクドライブ１００がコンパクトディスク１３０に書き込まれたデータを読み込む必要がない時、光ディスクドライブ１００は、可動ケース１１４の表面Bおよび主ケース１１２の表面Cを同一の方向に向けることができ、そして、光ディスクドライブの体積を減少させるために主ケース１１２を可動ケース１１４内に収容することができる（図３参照）。光ディスクドライブによりコンパクトディスク１３０に書き込まれたデータを読み込むことを意図する時には、最初に例えばコンパクトディスク１３０を矢印１４０の方向に沿って主ケース１１２に挿入する。次に主ケース１１２を可動ケース１１４から分離して、可動ケース１１４の表面Bと主ケース１１２の表面Cとを互い向きあわせて配置する。そして、コンパクトディスク１３０を主ケース１１２と可動ケース１１４との両方によって収容さるために、矢印１５０の方向に沿って可動ケース１１４に主ケース１１２を覆わせる（図４、５参照）。
【００２４】
図６は、本発明の他の実施例の光ディスクドライブのハウジングの変形を例示した斜視図である。図３および図６を参照すると、可動ケース１１４と主ケース１１２との間の相対運動は、前記実施例に示した方法に加えて、例えば、相対的な滑動でも良い。すなわち、光ディスクドライブ１００によりコンパクトディスク１３０のデータを読み込むことを意図する時、主ケース１１２は、例えば、矢印１６０の方向に沿って摺動させて可動ケース１１４から出すことも可能である。そして、可動ケース１１４および主ケース１１２の内側に、コンパクトディスクを収容できる十分な大きさの空間を形成する。次に、コンパクトディスク１３０が、そのコンパクトディスク１３０に書き込まれたデータを読み込むために光ディスクドライブ１００に挿入される。
【００２５】
上記説明に基づけば、前記実施例の主な意図は、主ケースを可動ケースに相対運動可能に結合し、光ディスクドライブを小型化することにある。光ディスクドライブがコンパクトディスクに書き込まれたデータを読み込む必要がある時、光ディスクドライブは、可動ケースと主ケースとの間の相対運動によって、可動ケースと主ケースとの両方にコンパクトディスクを収容させることができる。可動ケースと主ケースとの間の相対運動は上記２つの方法に限られない。その代わり、コンパクトディスクを可動ケースおよび主ケースに相互に収容させ得る限り、あらゆる運動方法が上記実施例に保護される範囲に含まれる。
【００２６】
光ディスクドライブの上記構成に基づく、可動ケースの構造および動き方を以下に例示する。
【実施例２】
【００２７】
図７〜９は、本発明の第２実施例の光ディスクドライブのハウジングの変形を例示した複数の斜視図である。図７〜９を参照すると、光ディスクドライブ２００のハウジング２１０は主ケース２２０および可動ケース２３０を有している。主ケース２２０はコンパクトディスク１３０の一部を保持するための空間２１２を有し、可動ケース２３０は可動要素２３２および２３４を有している。可動要素２３２および２３４は、軸結合部２３６および２３８によって主ケース２２０に回転可能にそれぞれ接続されている（図７参照）。光ディスクドライブ２００により、コンパクトディスク１３０に書き込まれたデータを読み込むことを意図する時、最初に、コンパクトディスク１３０の一部が空間２１２に挿入される。その後に、可動要素２３２および２３４は、軸結合部２３６および２３８をそれぞれ回転支持部として、主ケース２２０に対し矢印２４０および２４２の方向に回転させられている（図８参照）。そして空間２５０が、コンパクトディスク１３０を空間２１２と空間２５０との両方に相互に収容させるために、可動要素２３２および２３４の間に形成される。
【００２８】
上記説明に基づけば、前記実施例の主な意図は、光ディスクドライブを小型化するために、１つ以上の可動要素を、軸支要素によって主ケースに回転可能に接続することにある。光ディスクドライブがコンパクトディスクに書き込まれたデータを読み込む必要がある時、可動要素は、軸支要素と主ケースとの間の相互回転運動によって、可動要素および主ケース両方に、コンパクトディスクを相互に収容させることができる。可動要素と主ケースとの間の相対運動は前記方法に限られない。その代わり、あらゆる運動方法が、可動要素よって形成された空間および主ケースによって占められた空間の両方にコンパクトディスクを相互に収容させ得る限り、前記実施例によって定義された範囲に含まれる。
【実施例３】
【００２９】
図１０〜１１は、本発明の第３実施例の光ディスクドライブのハウジングの変形を例示した複数の斜視図である。図１０〜１１を参照すると、光ディスクドライブ３００のハウジング３１０は主ケース３２０および可動ケース３３０を有している。主ケース３２０はコンパクトディスク１３０の一部を保持するための空間３１２を有している。可動ケース３３０は滑動物３３２および３３４を有している。滑動物３３２および３３４は主ケース３２０内に収容されるのに適している。光ディスクドライブ３００により、コンパクトディスク１３０に書き込まれたデータを読み込むことを意図する時、コンパクトディスク１３０の一部が空間３１２に挿入され、そして、滑動物３３２および３３４が矢印３４０の方向に沿って摺動させられる。この場合の摺動方法は、例えば、滑動物３３２および３３４をバネの使用によって飛び出させることである（図１０参照）。その後に、コンパクトディスク１３０は、滑動物３３２および３３４間に形成された空間３５０と空間３１２との両方に形成された空間に収容される。
【００３０】
上記説明に基づけば、前記実施例の主な意図は、光ディスクドライブを小型化するために、１つ以上の滑動物を主ケースに収容することにある。光ディスクドライブがコンパクトディスクに書き込まれたデータを読み込む必要がある時、この滑動物は、その滑動物と主ケースとの間の相対的な滑動によって、この滑動物と主ケースとの両方により相互にコンパクトディスクを収容することができる。滑動物と主ケースとの間の相対運動は前記方法に限られない。その代わり、あらゆる運動方法が、滑動物によって形成された空間と主ケースによって占められた空間との両方にコンパクトディスクを相互に収容させ得る限り、前記実施例によって定義された範囲に含まれる。
【実施例４】
【００３１】
図１２〜１４は、本発明の第４実施例の光ディスクドライブのハウジングの変形を例示した複数の斜視図である。図１２〜１４を参照すると、上記実施例は第２実施例と第３実施例との組み合わせである。光ディスクドライブ４００のハウジング４１０は主ケース４２０および可動ケース４３０を有している。主ケース４２０はコンパクトディスク１３０の一部を保持するための空間４１２を有し、可動ケース４３０は可動要素４３２および滑動物４３４を有している。可動要素４３２は、軸結合部４３６によって主ケース４２０に回転可能に接続されている。光ディスクドライブ４００は、可動要素４３２と主ケース４２０との間の相対的な回転、および、滑動物４３４と主ケース４２０との間の相対的な滑動により可動要素４３２と滑動物４３４により形成された空間４５０と、主ケース４２０により占められた空間４１２との両方に、コンパクトディスク１３０を相互に収容させる。
【００３２】
前記実施例は、一方の側で、コンパクトディスクを主ケースと可動ケースとの両方に相互に収容させているが、前記実施例の意図に従って、両側で、コンパクトディスクを主ケースと可動ケースとの両方に相互に収容させる設計を更に提示することができるという点に留意する必要がある。
【実施例５】
【００３３】
図１５〜１７は、本発明の第５実施例の光ディスクドライブのハウジングの変形を例示した複数の斜視図である。図１５〜１７を参照すると、光ディスクドライブ５００のハウジング５１０は主ケース５２０および可動ケース５３０を有している。主ケース５２０はコンパクトディスク１３０の一部を保有するための空間５１２を有している。可動ケース５３０は複数の環状の摺動カバー５３２および５３４を有し、それらは主ケース５２０内に収容されている。光ディスクドライブ５００により、コンパクトディスク１３０に書き込まれたデータを読み込むことを意図する時、最初に、コンパクトディスク１３０が矢印５４０の方向に沿って空間５１２に挿入され、そして、コンパクトディスク１３０が主ケース５２０を貫通する。次に、環状の摺動カバー５３２および５３４が、それら環状の摺動カバー５３２および５２４に囲まれた空間５５０にコンパクトディスク１３０を徐々に引き入れるように、矢印５１４および５１６の方向に沿ってそれぞれ摺動させられる。最後に、コンパクトディスク１３０が、環状の摺動カバー５３２と５３４とによって形成された空間５５０と主ケース５２０とに完全に相互に収容される。
【００３４】
図１８〜１９は、本発明の第５実施例の光ディスクドライブのハウジングのもう一つの変形例を示した複数の斜視図である。図１５，１８および１９を参照すると、光ディスクドライブ５００’において、例えば、図１６の環状の摺動カバーに代えて、複数の扇形の摺動カバー５３２’および５３４’を用いることができる。そして、コンパクトディスクは、扇形の摺動カバー５３２’および５３４’によって形成された空間５５０’中に、上記の同様の方法で収容される。
【００３５】
図２０〜２２は、本発明の他の実施例の光ディスクドライブのハウジングの一つの変形を例示した複数の斜視図である。図２０〜２２を参照すると、光ディスクドライブ５００’’のハウジング５１０’’は主ケース５２０’’および可動ケース５３０’’を有している。主ケース５２０’’はコンパクトディスク１３０の一部を保持するための空間５１２’’を有している。可動ケース５３０’’は環状の摺動カバー５３２’’および５３４’’を有し、それらは主ケース５２０’’に収容されている。光ディスクドライブ５００’’によりコンパクトディスク１３０に書き込まれたデータを読み込むことを意図する時、コンパクトディスク１３０は矢印５４０’’の方向に沿って空間５１２’’に挿入され、コンパクトディスク１３０は主ケース５２０’’に収容される。ここでのコンパクトディスク１３０と主ケース５２０’’との間の相対位置は、前記実施例の相対位置とは異なっていても良く、例えば主ケース５２０’’を貫通しなくてもいいという点に留意する必要がある（図２０参照）。次いで、環状の摺動カバー５３２’’および５３４’’が、それら環状の摺動カバー５３２’’および５２４’’によって形成された空間５５０’’にコンパクトディスク１３０を徐々に引き入れるように、矢印５１４’’および５１６’’の方向に沿ってそれぞれ摺動される。最後に、コンパクトディスク１３０が、環状の摺動カバー５３２’’と５３４’’とによって形成された空間５５０’’と主ケース５２０’’とに完全に相互に収容される。
【００３６】
上記説明に基づけば、前記実施例の主な意図は、光ディスクドライブの体積を減少させるために、１つ以上の環状の摺動カバーを主ケースに収容させることにある。光ディスクドライブがコンパクトディスクに書き込まれたデータを読み込む必要がある時、環状の摺動カバーは、その環状の摺動カバーと主ケースとの間の相対的な摺動により、環状の摺動カバーによって形成された空間に、コンパクトディスクが環状の摺動カバーと主ケースとによって形成された両空間に完全に相互に収容されるまでコンパクトディスクを徐々に引き入れることができる。環状の摺動カバーと主ケースとの間の相対運動は前記方法に限られない。その代わり、あらゆる運動方法は、コンパクトディスクを環状の摺動カバーと主ケースとの両方に囲ませることができる限り、本実施例によって定義された範囲に含まれる。
【実施例６】
【００３７】
図２３〜２５は、本発明の第６実施例の光ディスクドライブのハウジングの変形を例示した複数の斜視図である。光ディスクドライブ６００のハウジング６１０は、主ケース６２０および可動ケース６３０を有している。この可動ケースは複数の帯状ケース６３２および６３４を有し、それらは主ケース６２０の外側に受容されている。光ディスクドライブ６００により、コンパクトディスク１３０に書き込まれたデータを読み込むことを意図する時、コンパクトディスク１３０が主ケース６２０に挿入されて貫通され、コンパクトディスクの一部は主ケース６２０に収容される。その後に、帯状ケース６３２および６３４の両端が主ケース６２０から同時に回転して外に出られるように、帯状ケース６３２および６３４が主ケース６２０に対して矢印６４０の方向に沿ってそれぞれ回転し、帯状ケース６３２および６３４によって形成された空間６５０に、コンパクトディスクを徐々に引き入れていく。そして最後に、コンパクトディスク１３０が、帯状ケース６３２，６３４によって形成された空間６５０と主ケース６２０とに完全に相互に収容される。
【００３８】
上記説明に基づけば、前記実施例の主な意図は、光ディスクドライブの体積を減少させるために、１つ以上の帯状ケースを主ケースに受容させることにある。光ディスクドライブがコンパクトディスクに書き込まれたデータを読み込む必要がある時、帯状ケースは、その帯状ケースと主ケースとの間の相対回転によって、コンパクトディスクが帯状ケースと主ケースとによって形成された両空間に完全に相互に収容されるまでその帯状ケースによって形成された空間にコンパクトディスクを徐々に引き入れることができる。帯状ケースと主ケースとの間の相対運動は前記方法に限られない。その代わり、あらゆる運動方法は、コンパクトディスクを帯状ケースと主ケースとの両方により囲ませることができる限り、前記実施例によって定義された範囲に含まれる。
【実施例７】
【００３９】
図２６〜２８は、本発明の第７実施例の光ディスクドライブのハウジングの変形を例示した複数の斜視図である。図２６〜２８を参照すると、光ディスクドライブ７００のハウジング７１０は主ケース７２０および可動ケース７３０を有している。可動ケース７３０は複数の折り畳み板を有し、そこにおいて折り畳み板は、例えば、カバー板７３１〜７３４および保持板７３５，７３６を更に有している。カバー板７３２はカバー板７３４に接続され、カバー板７３４は保持板７３６に接続されている。そして保持板７３６は更に主ケース７２０に接続されており、接続方法は回転可能な接続であってもよい。カバー板７３１、７３３および保持板７３５も、同様の方法で相互に接続されている。
【００４０】
更に図２６〜２８を参照すると、光ディスクドライブ７００がコンパクトディスク１３０に書き込まれたデータを読み込む必要がない時、光ディスクドライブの体積を減少させるために、カバー板７３１〜７３４および保持板７３５，７３６は、例えば図２６に示すように、それらの相互接続によって、カバー板７３１，７３２の下に、カバー板７３３，７３４および保持板７３５，７３６を隠すことができる。光ディスクドライブ７００によりコンパクトディスク１３０に書き込まれたデータを読み込むことを意図する時、カバー板７３１〜７３４および保持板７３５，７３６は、それぞれ矢印７５０と７５１の方向に沿って伸ばすことができ、この結果、保持プラットフォーム７３８が、コンパクトディスク１３０を保持するために保持板７３５，７３６と主ケース７２０とによって形成され、そして、コンパクトディスクを収容するのに十分大きい空間が、カバー板７３１〜７３４で保持プラットフォーム７３８を覆うことによって形成される。
【実施例８】
【００４１】
図２９〜３４は、本発明の第８実施例の光ディスクドライブのハウジングの変形を例示した複数の斜視図である。この第８の実施例におけるカバー板および保持板は、この第８の実施例に従って配置することができる。図２９〜３４を参照すると、光ディスクドライブ８００は主ケース８１０、カバー板８２１〜８２８および保持板８３１〜８３４を有している。主ケース８１０および保持板８３１〜８３４は共にコンパクトディスク１３０を保持するように保持プラットフォーム８４０を形成する。光ディスクドライブ８００がコンパクトディスク１３０のデータを読み込む必要がある時、コンパクトディスク１３０を保持プラットフォーム８４０上に配置することができ、そしてカバー板８２１〜８２８は、コンパクトディスクを主ケース８１０とカバー板８２１〜８２８と保持板８３１〜８３４とで一緒に覆うように、矢印８４１〜８４４の方向に沿って保持プラットフォーム８４０上にそれぞれ配置される。
【００４２】
図２９および図３２〜３４を参照すると、光ディスクドライブ８００がデータを読み込む必要がない時、カバー板８２２，８２４，８２６および８２８は、例えば、カバー板８２１，８２３，８２５および８２７の上にそれぞれ折り重ねることができる（図３２参照）。そして、カバー板８２１と８２２、８２３と８２４、８２５と８２６、８２７と８２８が、保持板８３１〜８３４の下にそれぞれ対として折り重ねられる（図３３参照）。次にカバー板８２１〜８２８および保持板８３１〜８３４が、光ディスクドライブ８００の体積を減少させるために、矢印８４５〜８４８の方向に沿って主ケース８１０の上に折り重ねられる（図３４参照）。
【実施例９】
【００４３】
図３５〜４０は、本発明の第９実施例の光ディスクドライブのハウジングの変形を例示した複数の斜視図である。この第９実施例におけるカバー板および保持板は、この第９実施例に従って配置することができる。図３５〜４０を参照すると、光ディスクドライブ９００は主ケース９１０、カバー板９２１〜９２４および保持板９３１〜９３３を有している。光ディスクドライブ９００がコンパクトディスク１３０のデータを読み込む必要がない時、光ディスクドライブ９００は、例えば、図３５に示すように小型化することができる。光ディスクドライブ９００がコンパクトディスク１３０のデータを読み込む必要がある時、主ケース９１０、カバー板９２１、９２２、および保持板９３１は矢印９４１の方向に沿って折り返される（図３６参照）。そして、カバー板９２１〜９２４および保持板９３１、９３２が、主ケース９１０および保持板９３１〜９３３によって共に保持平面９４０を形成するために、矢印９４２の方向に沿って折り返される（図３７参照）。次に、カバー板９２１〜９２４が矢印９４３の方向に沿って折り返される（図３８参照）。そして、カバー板９２２と９２３とが矢印９４４の方向に沿って折り返されて、主ケース９１０、カバー板９２１〜９２４および保持板９３１〜９３３が完全に伸ばされる（図３９参照）。その後、コンパクトディスク１３０が保持平面９４０上に配置され、主ケース９１０とカバー板９２１〜９２４と保持板９３１〜９３３とによって共にコンパクトディスク１３０を覆うためにカバー板９２１〜９２４が矢印９４５の方向に沿って折り返される（図４０参照）。
【００４４】
上記説明に基づけば、第９実施例の主な意図は、光ディスクドライブを小型化するために、複数の折り畳み板を折り込むことにある。光ディスクドライブがコンパクトディスクに書き込まれたデータを読み込む必要がある時、折り畳み板は、その折り畳み板と主ケースとの間の相対運動によって、コンパクトディスクを折り畳み板と主ケースとの両方に相互に収容させることができる。折り畳み板と主ケースとの間の相対運動は前記方法に限られない。その代わり、あらゆる運動方法が、コンパクトディスクを折り畳み板と主ケースとの両方に相互に収容させることができる限り、第９実施例によって定義された範囲に含まれる。
【００４５】
要約すると、本発明の光ディスクドライブは、ハウジングを２つの部品、すなわち主ケースおよび可動ケースに分割する。光ディスクドライブがコンパクトディスクに書き込まれたデータを読み込む必要がない時、可動ケースはその機構設計によって光ディスクドライブの体積を減少させることができる。光ディスクドライブがコンパクトディスクに書き込まれたデータを読み込む必要がある時、可動ケースは、コンパクトディスクを主ケースおよび可動ケース両方に収容させるのに十分大きい空間を形成するために、主ケースから独立に拡張することができる。更に、上記実施例において記述された可動ケースの機構設計は、可動ケースの設計を限定することを意図するものではない。上記実施例の意図に従えば、上記複数の実施例における機械的設計の組み合わせを採用することができ、主ケースまたは可動ケースの一部または全ては、他の本体に統合されることも可能である。
【００４６】
本発明の範囲または精神から逸脱することなく、本発明の構造に対して様々な改良および変更ができるということは、当業者にとって明らかである。前述の点を考慮し、本発明は、特許請求の範囲の請求項およびそれらの等価物の範囲に入ることを条件に、本発明の改良および変更をその範囲に含む。
【産業上の利用可能性】
【００４７】
かくして本発明の光ディスクドライブによればその体積を可動ハウジング機構によって小型化できる。
【図面の簡単な説明】
【００４８】
【図１】図１は、本発明の第１実施例の光ディスクドライブの斜視図である。
【図２】図２は、本発明の第１実施例のＩ〜Ｉ’方向に沿う主ケースの断面を示す斜視図である。
【図３】図３は、本発明の第１実施例の光ディスクドライブのハウジングの変形を例示した斜視図である。
【図４】図４は、本発明の第１実施例の光ディスクドライブのハウジングの変形を例示した斜視図である。
【図５】図５は、本発明の第１実施例の光ディスクドライブのハウジングの変形を例示した斜視図である。
【図６】図６は、本発明の他の実施例の光ディスクドライブのハウジングの変形を例示した斜視図である。
【図７】図７は、本発明の第２実施例の光ディスクドライブのハウジングの変形を例示した斜視図である。
【図８】図８は、本発明の第２実施例の光ディスクドライブのハウジングの変形を例示した斜視図である。
【図９】図９は、本発明の第２実施例の光ディスクドライブのハウジングの変形を例示した斜視図である。
【図１０】図１０は、本発明の第３実施例の光ディスクドライブのハウジングの変形を例示した斜視図である。
【図１１】図１１は、本発明の第３実施例の光ディスクドライブのハウジングの変形を例示した斜視図である。
【図１２】図１２は、本発明の第４実施例の光ディスクドライブのハウジングの変形を例示した斜視図である。
【図１３】図１３は、本発明の第４実施例の光ディスクドライブのハウジングの変形を例示した斜視図である。
【図１４】図１４は、本発明の第４実施例の光ディスクドライブのハウジングの変形を例示した斜視図である。
【図１５】図１５は、本発明の第５実施例の光ディスクドライブのハウジングの変形を例示した斜視図である。
【図１６】図１６は、本発明の第５実施例の光ディスクドライブのハウジングの変形を例示した斜視図である。
【図１７】図１７は、本発明の第５実施例の光ディスクドライブのハウジングの変形を例示した斜視図である。
【図１８】図１８は、本発明の第５実施例の光ディスクドライブのハウジングの他の変形を例示した斜視図である。
【図１９】図１９は、本発明の第５実施例の光ディスクドライブのハウジングの他の変形を例示した斜視図である。
【図２０】図２０は、本発明の第５実施例の光ディスクドライブのハウジングの更に他の変形を例示した斜視図である。
【図２１】図２１は、本発明の第５実施例の光ディスクドライブのハウジングの更に他の変形を例示した斜視図である。
【図２２】図２２は、本発明の第５実施例の光ディスクドライブのハウジングの更に他の変形を例示した斜視図である。
【図２３】図２３は、本発明の第６実施例の光ディスクドライブのハウジングの変形を例示した斜視図である。
【図２４】図２４は、本発明の第６実施例の光ディスクドライブのハウジングの変形を例示した斜視図である。
【図２５】図２５は、本発明の第６実施例の光ディスクドライブのハウジングの変形を例示した斜視図である。
【図２６】図２６は、本発明の第７実施例の光ディスクドライブのハウジングの変形を例示した斜視図である。
【図２７】図２７は、本発明の第７実施例の光ディスクドライブのハウジングの変形を例示した斜視図である。
【図２８】図２８は、本発明の第７実施例の光ディスクドライブのハウジングの変形を例示した斜視図である。
【図２９】図２９は、本発明の第８実施例の光ディスクドライブのハウジングの変形を例示した斜視図である。
【図３０】図３０は、本発明の第８実施例の光ディスクドライブのハウジングの変形を例示した斜視図である。
【図３１】図３１は、本発明の第８実施例の光ディスクドライブのハウジングの変形を例示した斜視図である。
【図３２】図３２は、本発明の第８実施例の光ディスクドライブのハウジングの変形を例示した斜視図である。
【図３３】図３３は、本発明の第８実施例の光ディスクドライブのハウジングの変形を例示した斜視図である。
【図３４】図３４は、本発明の第８実施例の光ディスクドライブのハウジングの変形を例示した斜視図である。
【図３５】図３５は、本発明の第９実施例の光ディスクドライブのハウジングの変形を例示した斜視図である。
【図３６】図３６は、本発明の第９実施例の光ディスクドライブのハウジングの変形を例示した斜視図である。
【図３７】図３７は、本発明の第９実施例の光ディスクドライブのハウジングの変形を例示した斜視図である。
【図３８】図３８は、本発明の第９実施例の光ディスクドライブのハウジングの変形を例示した斜視図である。
【図３９】図３９は、本発明の第９実施例の光ディスクドライブのハウジングの変形を例示した斜視図である。
【図４０】図４０は、本発明の第９実施例の光ディスクドライブのハウジングの変形を例示した斜視図である。
【符号の説明】
【００４９】
１００，２００，３００，４００，５００，５００’，
５００”，６００，７００，８００，９００                    光ディスクドライブ
１１０，２１０，３１０，４１０，
５１０，５１０”，６１０，７１０                                    ハウジング
１１２，２２０，３２０，４２０，５２０，５２０”，
６２０，７２０，８１０，９１０                                      主ケース
１１４，２３０，３３０，４３０，５３０，５３０”、６３０，７３０    可動ケース
【図１】
2006209948.tif 000003
【図２】
2006209948.tif 000004
【図３】
2006209948.tif 000005
【図４】
2006209948.tif 000006
【図５】
2006209948.tif 000007
【図６】
2006209948.tif 000008
【図７】
2006209948.tif 000009
【図８】
2006209948.tif 000010
【図９】
2006209948.tif 000011
【図１０】
2006209948.tif 000012
【図１１】
2006209948.tif 000013
【図１２】
2006209948.tif 000014
【図１３】
2006209948.tif 000015
【図１４】
2006209948.tif 000016
【図１５】
2006209948.tif 000017
【図１６】
2006209948.tif 000018
【図１７】
2006209948.tif 000019
【図１８】
2006209948.tif 000020
【図１９】
2006209948.tif 000021
【図２０】
2006209948.tif 000022
【図２１】
2006209948.tif 000023
【図２２】
2006209948.tif 000024
【図２３】
2006209948.tif 000025
【図２４】
2006209948.tif 000026
【図２５】
2006209948.tif 000027
【図２６】
2006209948.tif 000028
【図２７】
2006209948.tif 000029
【図２８】
2006209948.tif 000030
【図２９】
2006209948.tif 000031
【図３０】
2006209948.tif 000032
【図３１】
2006209948.tif 000033
【図３２】
2006209948.tif 000034
【図３３】
2006209948.tif 000035
【図３４】
2006209948.tif 000036
【図３５】
2006209948.tif 000037
【図３６】
2006209948.tif 000038
【図３７】
2006209948.tif 000039
【図３８】
2006209948.tif 000040
【図３９】
2006209948.tif 000041
【図４０】
2006209948.tif 000042
【外国語明細書】
2006209948000001.pdf